(57)【特許請求の範囲】
【請求項１】
表示装置に表示される表示対象を切り替えるための切り替え指示を入力する入力手段と、
第１のメモリに記憶されている複数のファイルに基づく複数の画像と当該第１のメモリとは異なる第２のメモリに記憶されているファイルの取得を指示するための指示画像のうちの表示対象の画像を、前記入力手段により入力された切り替え指示に応じて所定の表示順序に従って切り替えることにより、当該表示対象の画像を表示装置に順次表示させる表示制御手段と、
前記入力手段により入力された切り替え指示により前記表示制御手段による表示対象の画像が前記複数の画像から前記指示画像に切り替わったことに基づいて、前記第２のメモリに記憶されているファイルを前記表示制御手段による新たな表示対象として取得する取得手段と、
を有することを特徴とする情報処理装置。
【請求項２】
前記取得手段は、前記表示制御手段により前記指示画像が表示されているときに、前記第２のメモリを備える外部デバイスから当該第２のメモリに記憶されているファイルを取得することを特徴とする請求項１に記載の情報処理装置。
【請求項３】
前記表示制御手段は、前記第２のメモリを含むデバイスを示すデバイス情報を前記指示画像として表示させることを特徴とする請求項１または２に記載の情報処理装置。
【請求項４】
前記情報処理装置に接続されているデバイスの種類を検出する検出手段を有し、
前記取得手段は、前記検出手段により検出されたデバイスの種類が前記表示制御手段により表示されているデバイス情報が示すデバイスに対応する種類である場合に、前記デバイスに含まれている第２のメモリに記憶されているファイルを取得することを特徴とする請求項３に記載の情報処理装置。
【請求項５】
前記表示制御手段は、前記検出手段で検出されたデバイスの種類に基づき、当該種類のデバイスを示すデバイス情報を表示させることを特徴とする請求項４に記載の情報処理装置。
【請求項６】
前記取得手段により前記第２のメモリに記憶されているファイルが表示対象として取得された場合に、前記表示制御手段は、前記前記第１のメモリに記憶されているファイルと前記取得手段により取得された前記第２のメモリに記憶されているファイルの両方に対応する複数の画像を、前記表示装置に順次表示させることを特徴とする請求項１乃至５のいずれか１項に記載の情報処理装置。
【請求項７】
前記表示制御手段は、前記第１のメモリに記憶されているファイルに基づく画像と、前記第２のメモリに記憶されているファイルに基づく画像とを区別して表示させることを特徴とする請求項６に記載の情報処理装置。
【請求項８】
表示装置に表示される表示対象を切り替えるための切り替え指示を入力する入力工程と、
第１のメモリに記憶されている複数のファイルに基づく複数の画像と当該第１のメモリとは異なる第２のメモリに記憶されているファイルの取得を指示するための指示画像のうちの表示対象の画像が前記入力工程において入力された切り替え指示に応じて所定の表示順序に従って切り替えることにより、当該表示対象の画像を表示装置に順次表示させる表示制御工程と、
前記入力工程において入力された切り替え指示により前記表示制御工程における表示対象の画像が前記複数の画像から前記指示画像に切り替わったことに基づいて、前記第２のメモリに記憶されているファイルを前記表示制御手段による新たな表示対象として取得する取得工程と、
を有することを特徴とする情報処理方法。
【発明の詳細な説明】
【技術分野】
【０００１】
本発明は表示装置にファイルを表示させる情報処理装置、情報処理方法に関するものである。
【背景技術】
【０００２】
近年、ＰＣを介さずに単体で画像データをダイレクトに印刷することができる多機能・高機能な画像処理装置が普及しつつある。そういった画像処理装置は、ユーザに多くの機能をできるだけ簡単に使いこなしてもらうべく、グラフィカルな表現のできるユーザーインターフェースを備えていることが多い。
【０００３】
ところが、たくさんの機能を操作できるからこそユーザーインターフェースが複雑になってしまい、ユーザの操作性も複雑になってしまう場合もある。例えば、最近の画像処理装置が様々なデバイスに対するインターフェースを備え、メモリカードやフラッシュメモリ、ハードディスクといった異なるデバイスの画像データを扱うことができる。このような画像処理装置に複数のデバイスが同時に接続されている場合、従来は１つのデバイスに対してのみユーザによる操作が有効で、それ以外のデバイスは操作対象として排他していた。そのため、画像処理装置に接続された複数のデバイスのうち対象とするデバイスを設定する作業を、ユーザが繰り返し行う必要があった。具体的には、メニュー画面で複数回の画面遷移が発生するためユーザによる操作が煩雑だった。
【０００４】
このような状況に対応するため、表示画面を切り替えることなく、１つの画面上でメディアの選択および出力デバイスの決定を行うことが考えられている（例えば、特許文献１参照）。これにより、ユーザの負荷を軽減し操作性能を向上させている。
【先行技術文献】
【特許文献】
【０００５】
【特許文献１】特開平０９−１４６７３７号公報
【発明の概要】
【発明が解決しようとする課題】
【０００６】
しかしながら、上記特許文献１においては接続されている複数のデバイスの中から如何にして操作性良く出力デバイスを決定するかという方法であり、入力デバイス及びそのデバイス内に保存されたデータを簡単に選択することに関しては、考慮されていなかった。
【０００７】
本発明は、上記問題を鑑みてなされたものであり、複数のメモリにファイルが記憶されている場合であっても、所望のファイルを容易に表示させることができる情報処理装置、情報処理方法を提供することを目的とする。
【課題を解決するための手段】
【０００８】
本発明の情報処理装置は、表示装置に表示される表示対象を切り替えるための切り替え指示を入力する入力手段と、第１のメモリに記憶されている複数のファイルに基づく複数の画像と当該第１のメモリとは異なる第２のメモリに記憶されているファイルの取得を指示するための指示画像のうちの表示対象の画像を、前記入力手段により入力された切り替え指示に応じて所定の表示順序に従って切り替えることにより、当該表示対象の画像を表示装置に順次表示させる表示制御手段と、前記入力手段により入力された切り替え指示により前記表示制御手段による表示対象の画像が前記複数の画像から前記指示画像に切り替わったことに基づいて、前記第２のメモリに記憶されているファイルを前記表示制御手段による新たな表示対象として取得する取得手段と、を有することを特徴とする。
【発明の効果】
【０００９】
本発明によれば、第１のメモリに記憶されている複数のファイルに基づく複数の画像から指示画像に表示対象が切り替わったことに基づいて、表示対象が第２のメモリに記憶されているファイルが新たな表示対象として取得される。そのため、複数のメモリにファイルが記憶されている場合であっても所望のファイルを容易に表示させることができる。
【図面の簡単な説明】
【００１０】
【図１】本発明の第１の実施形態に係る画像処理装置１００の概観斜視図である。
【図２】本発明の第１の実施形態に係る画像処理装置１００のブロック構成図である。
【図３】画像データを保存しているメモリカードの例である。
【図４】図３のメモリカードから第１のファイルリスト作成部が作成するリストの例である。
【図５】図４のリストに則り画像データを表示する例である。
【図６】他のデバイスからファイルを入力したときに第２のファイルリスト作成部が作成するリストの例である。
【図７】本発明の第１の実施形態に係る画像データを液晶表示装置１０６に表示するときの処理手順を示すフローチャートである。
【図８】本発明の第１の実施形態に係るあるデバイスから画像処理装置１００に対し画像データが入力されたときの処理手順を示すフローチャートである。
【図９】画像データを液晶表示装置１０６に表示する際に、どのデバイスに保存されていた画像データなのかをマークで表示した場合の例である。
【図１０】本発明の第２の実施形態に係る画像処理装置１００のブロック構成図である。
【図１１】本発明の第２の実施形態に係るフレームデータを液晶表示装置１０６に表示するときの処理手順を示すフローチャートである。
【図１２】本発明の第２の実施形態に係るあるデバイスから画像処理装置１００に対しフレームデータが入力されたときの処理手順を示すフローチャートである。
【発明を実施するための形態】
【００１１】
以下、添付図面を参照して本発明の好適な実施の形態を詳細に説明する。
【実施例】
【００１２】
＜第１の実施形態＞
図１は、本発明の第１の実施形態に係る画像処理装置１００の概観斜視図である。この画像処理装置１００は、ＰＣからデータを受信して印刷する通常のＰＣプリンタとしての機能とは別に、スキャナから画像データを読み取って印刷する機能を備える。また、着脱可能な外部記憶媒体に対してダイレクトにアクセスして印刷する機能も備えている。さらに、デジタルカメラからダイレクトに画像データを受信して印刷する機能、及び、携帯端末から赤外線通信やＢｌｕｅｔｏｏｔｈ通信でダイレクトに画像データを受信して印刷する機能も備えている。記録方式としては如何なるものでも良いが、本実施形態では記録解像度、印刷品質等の観点から、熱エネルギーを利用してインク液滴を記録媒体に向けて吐出するインクジェットプリンタとした。
【００１３】
図１において、本発明の第１の実施形態に係る画像処理装置１００の外殻をなす本体は、下ケース１０１、プリンタカバー１０２、原稿台カバー１０３、及び、排出トレイ１０４の外装部材を有している。下ケース１０１は、画像処理装置１００の略下半部を形成しており、内部に後述の各機構を収納する収納空間を有する中空体構造をなし、その前面部には開口部が形成されている。
【００１４】
プリンタカバー１０２は、その一端部が下ケース１０１に回転自在に保持され、上面に形成される開口部を開閉できるようになっている。このプリンタカバー１０２を開くことによって本体内部に収納されている記録ヘッドカートリッジ（不図示）あるいはインクタンク（不図示）等の交換が可能となる。なお、ここでは特に図示しないが、プリンタカバー１０２を開閉させると、その裏面に形成された突起がカバー開閉レバーを回転させるようになっている。そのカバー開閉レバーの回転位置をマイクロスイッチなどで検出することにより、プリンタカバー１０２の開閉状態を検出できるようになっている。また、ここでは特に図示しないが、印刷メディアの搬送ユニットが下ケース１０１内に内蔵されている。さらに、プリンタカバー１０２の内部にはスキャナユニット（不図示）が内蔵されている。原稿台カバー１０３は、その一端部がプリンタカバー１０２に回転自在に保持され、原稿台カバー１０３を開けることでプリンタカバー１０２内に設けられているスキャナへアクセスすることができる。また、原稿台カバー１０３を閉めることでスキャナの読み取り面を保護することができる。
【００１５】
排出トレイ１０４は、その一端部が下ケース１０１の開口部分に保持されており、記録動作を実行させる際には、ここから印刷メディアが排出可能となると共に、排出された印刷メディアを順次積載できるようになっている。
【００１６】
プリンタカバー１０２の向かって右面には、電源キー１０５が押下可能に設けられている。また、プリンタカバー１０２の中央には、ユーザーインターフェース表示用にメニューやガイド、選択した画像データなどを表示することができる液晶表示装置１０６が設けられている。さらに、プリンタカバー１０２の向かって左面には、各種キースイッチなどを備える操作パネル１０９が設けられている。
【００１７】
１０７は自動給送部で、印刷メディアを装置本体内へと自動的に給送する。１０８はカードスロットで、ここにメモリカードを挿入することでメモリカードに保存されている画像データを直接取り込んで印刷することができる。このメモリカードとしては、例えばコンパクトフラッシュメモリ、ＳＤカード、メモリスティック等がある。１１０は外部機器と接続するためのコネクタ端子（ＵＳＢ端子）であり、例えばデジタルカメラや外部光ディスク装置、Ｂｌｕｅｔｏｏｔｈの受信装置などを接続し、ダイレクトに画像データを受信するためのものである。１１１は赤外線を受光する受光部であり、赤外線通信を行うときに用いられる。なお、この画像処理装置１００の後面には、ＰＣを接続するためのコネクタ端子（ＵＳＢコネクタ）が設けられている。
【００１８】
図２は、本発明の第１の実施形態に係る画像処理装置１００のブロック構成図である。画像処理装置１００は先に説明したように、ＰＣと接続して印刷する機能を有する。また、デジタルカメラ等の撮像装置や外部光ディスク装置とダイレクトに接続し印刷する機能、デジタルカメラ等で使用されたメモリカードに直接アクセスして画像データを読出し印刷する機能、及び、スキャナで読み取った画像データを印刷する機能を有する。さらに、赤外線通信により受信した画像データを印刷する機能を有する。
【００１９】
かかる機能を実現するため、外部接続装置とのインターフェースである図１に既出のコネクタ端子１１０、メモリカードとのインターフェースである図１に既出のカードスロット１０８、スキャナなどによる図１に既出の画像読み取り部１０２を備えている。さらに、赤外線を受光する図１に既出の赤外線受光部１１１を備えている。また、液晶表示装置１０６、及び、操作パネル１０９とを備えている。
【００２０】
システム制御部２００は、装置全体を制御する制御部で、以下の構成要素を備えている。
【００２１】
２０１は第１のファイルリスト作成部で、画像処理装置１００に接続されている予め定められたデバイス、例えばカードスロット１０８にメモリカードが装着されているメモリカード内に存在する画像データのリストを作成する。さらに、メモリカード以外のデバイスから画像データを取得できるようにする項目として、画像処理装置に接続されているあるいは接続可能なデバイスをデバイス情報としてファイルリストに追加する。
【００２２】
例えば、図３に示すようなメモリカードを画像処理装置１００に挿入すると、第１のファイルリスト作成部は図４に示すようなリストを作成する。リストは、メモリカード内の画像データ１〜５と、入力対象のデバイスとして携帯電話、カメラ、ＢＴ機器、スキャナという項目で構成される。
【００２３】
２０２は表示制御部で、ユーザーインターフェースや第１のファイルリスト作成部が作成したリストや入力対象のデバイスから取得した画像データを液晶表示装置１０６に表示する。表示する項目が入力対象のデバイスだった場合は、それらをデバイス情報として液晶表示装置１０６に表示する。
【００２４】
２０３はインターフェース制御部である。デバイス情報を液晶表示装置１０６に表示しているときに、入力対象として選択された場合、その入力対象のデバイスから画像処理装置１００に画像データを内蔵ＲＡＭ領域２１１に一時保存する。
【００２５】
２０４は第２のファイルリスト作成部である。第２のファイルリスト作成部は、上記内蔵ＲＡＭ領域２１１に一時保存された画像データを、先に第１のファイルリスト作成部で作成されたに追加したリストを作成する。また、第１のファイルリスト作成部で作成された時に、画像処理装置１００に接続されていなかったデバイスが接続されたデバイスから画像データが入力される場合も、第１のファイルリスト作成部で作成されたリストに追加する。
【００２６】
例えば、図５のように第１のファイルリスト作成部で作成した画像データリスト（図４）を元に画像データを表示しているとき、操作パネル１０９を操作して画像データを順次表示していく。そして、携帯電話からファイル入力を受け付けるデバイス情報を表示したときに、携帯電話から赤外線通信で画像データを画像処理装置１００に入力すると、図６に示すように携帯電話から入力された画像データ６がリスト追加される。
【００２７】
２１０は受信バッファで、画像読み取り部１０２、カードスロット１０８、コネクタ端子１１０、赤外線受光部１１１経由で画像処理装置１００に送られてくる画像データを受信し、一時的にデータを保持する。
【００２８】
２１１は内蔵ＲＡＭ領域で、受信バッファ２１０内の画像データを一時的に保存し、システム制御部２００から自由にアクセスできるようにする。また、各入力デバイスから入力された画像データやそれら画像データのリストもこの領域に保存される。
【００２９】
図７は、本発明の第１の実施形態に係る画像データを液晶表示装置１０６に表示するときの処理手順を示すフローチャートである。
【００３０】
まず、ステップＳ７０１では、ユーザが操作パネル１０９を使って画像データを閲覧するための閲覧モードに設定するのを待つ。ここで閲覧モードとは、第１のファイルリスト作成部あるいは第２のファイルリスト作成部で作成したリストを表示するためのモードである。閲覧モードにあるとき、その閲覧対象は画像データと入力対象のデバイスであるデバイス情報を含んでいる。
【００３１】
ステップＳ７０２では、システム制御部２００が、閲覧モードにおいて入力対象となるデバイスが画像処理装置１００に接続されているかどうか判断する。本実施例において入力対象となるデバイスとは、スキャナ１０２、カードスロット１０８に装着可能なメモリカード、コネクタ端子１１０に接続可能なデジタルカメラ、赤外線受光部１１１と接続可能な携帯電話である。これらのデバイスのうちユーザは少なくとも１つのデバイスを選択する。選択されたデバイスが画像処理装置１００に接続されているならば、ステップＳ７０３へ進む。ここではメモリカードが接続されているとする。メモリカードが接続されていないならば、ステップＳ７０１へ戻る。
【００３２】
ステップＳ７０３では、システム制御部２００がメモリカード内の画像データの有無を判断する。ステップＳ７０４では、メモリカード内に画像データが有ると判断すると、第１のファイルリスト作成部が画像データを取得してリストを作成する。取得した画像データや作成されたリストは、内蔵ＲＡＭ２１１に保存される。ステップＳ７０５では、画像データのリスト作成対象となっているメモリカード以外で、画像処理装置１００に接続されているデバイス、あるいは接続可能なデバイスをシステム制御部２００が検索する。ここでは、スキャナ、デジタルカメラ、ＢＴ機器、携帯電話がそれに相当する。ステップＳ７０６では、第１のファイルリスト作成部がステップＳ７０５で検索したデバイスを画像データのリストに追加する。ここでは画像処理装置１００に接続可能なスキャナ、デジタルカメラ、ＢＴ機器、携帯電話がリストに追加される。ステップＳ７０７では、表示制御部２０２がステップＳ７０６で作成されたリストに則って液晶表示装置１０６に画像データ１〜５と追加されたスキャナ、デジタルカメラ、ＢＴ機器、携帯電話をメニューを画像データとして表示する。これにより、ユーザは画像データ１〜５と入力デバイスを並列して選択可能となる。
【００３３】
図８は、本発明の第１の実施形態に係るメモリカード以外のデバイスから画像処理装置１００に対し画像データが入力されたときの処理手順を示すフローチャートである。
【００３４】
まず、ステップＳ８０１では、インターフェース制御部２０３が画像処理装置１００に対し、どのデバイスが画像データを入力してきたかを検出する。ここで、そのデバイスを携帯電話とする。ステップＳ８０２では、システム制御部２００が液晶表示装置１０６で携帯電話から画像データを入力可能とすることを示すデバイス情報を表示しているかどうか判断する。デバイス情報を表示しているならば、ステップＳ８０３へ進む。表示していないならば、処理を終了する。ステップＳ８０３では、システム制御部２００がステップＳ８０１で検出したデバイスと、液晶表示装置１０６に表示されているデバイス情報が対象としているデバイスとが一致するかどうか判断する。両方のデバイスが一致するならば、ステップＳ８０４へ進む。一致しなければ、処理を終了する。
【００３５】
また、処理を終了するときに、他に対象となるデバイスのデバイス情報がリスト中にあるならば、そのデバイス情報に切り替えても良い。
【００３６】
ステップＳ８０４では、インターフェース制御部２０３が画像処理装置１００に対しファイルを入力してきた携帯電話から画像データを取得し、受信バッファ２１０に保存する。
【００３７】
ステップＳ８０５では、インターフェース制御部２０３がステップＳ８０４で受信した画像データを解析し、その画像データの形式が画像処理装置１００で対応しているものであるかどうか、例えばＪＰＥＧ形式であるかを判断する。ＪＰＥＧ形式に対応しているものであるならば、ステップＳ８０６へ進む。対応していなければ、処理を終了する。また、処理を終了する前に、ファイル形式が異なる旨の警告画面を表示しても良い。ステップＳ８０６では、インターフェース制御部２０３がステップＳ８０４で受信バッファ２１０に保存した画像データを内蔵ＲＡＭ領域２１１に一時保存する。
【００３８】
ステップＳ８０７では、第１のファイルリスト作成部で作成されたリストの対象である画像データと同じように扱えるように、第２のファイルリスト作成部が第１のファイルリスト作成部が作成したリストへ新たに携帯電話から入力された画像データを追加する。ステップＳ８０８では、表示制御部２０２がステップＳ８０７で更新したリストに則って液晶表示装置１０６に画像データおよび入力対象のデバイスを表示する。表示制御部２０２は、ユーザによる操作部から順次表示を切り替える指示に応じて、あるいはスライドショーによって自動的にリストの表示を切り替えるように制御する。
【００３９】
上述したように、作成したリストに従って入力デバイスから取得した画像データと入力デバイスを示す画像データをメニューとして表示することができる。これにより、ユーザは画像データと入力デバイスを選択するためにメニュー画面を切り替える時間を省くことができる。
【００４０】
なお、上記第１の実施形態では、画像データを対象としたが、文章ファイルを対象としてもよい。また、上記第１の実施形態では、入力対象のデバイスが画像処理装置１００に接続されていなくてもリストに追加していた。しかし、画像処理装置１００に対して実際に接続されているデバイスを検出し、その検出されたデバイスのみをリストに追加するようにしてもよい。また、画像処理装置１００が対応しているデバイスならばどのデバイスからの入力でも受け付けるという項目を追加するようにしてもよい。
【００４１】
また、上記第１の実施形態では、最初に画像データのリストを作成する対象となるデバイスを、ユーザが画像データの閲覧モードで選択することによって決定していた。しかし、接続されているデバイスの中から予め決められた優先順位に基づいて、最も優先順位の高いデバイスを最初に画像データリストを作成する対象としてもよい。
【００４２】
また、例えばメモリカードとデジタルカメラというように、画像データリストを作成するデバイスとして予め複数のデバイスから任意のデバイスを設定しておき、設定されているデバイスが有する画像データをまとめて１つのリストを作成するようにしてもよい。
【００４３】
さらに、上記第１の実施形態では、画像データを液晶表示装置１０６に表示する際、図９のようにどのデバイスに保存されている画像データなのかを示す種別を、マークや文字で表示してもよい。そうすれば、例えば携帯電話から取得した画像に関連する画像を確認する際に、ユーザは携帯電話で確認すればよいということがわかる。
【００４４】
＜第２の実施形態＞
第１の実施形態は、入力されたファイルを内蔵ＲＡＭ領域に一時保存していた。そのため、電源ＯＦＦなどのタイミングで一時保存していた内容が消えてしまい、長期間の保存ができなかった。そこで、第２の実施形態は係る点に対応し、入力された画像データを不揮発性のデータ保存領域に保存することで、画像データの長期間の保存を実現するものである。
【００４５】
また、入力デバイスから取得した画像データに装飾するためのフレームデータを閲覧および選択したい場合もある。そこで、画像データに合成するためのフレームデータも選択対象としてリストを作成するようにすることもできる。
【００４６】
本発明の第２の実施形態における画像処理装置１００の概観斜視図は図１と同じであるが、画像処理装置１００のブロック構成図が図２とは若干異なる。そこで、その点に関して説明することとする。
【００４７】
図１０は、本発明の第２の実施形態に係る画像処理装置１００のブロック構成図である。
【００４８】
システム制御部２００は、装置全体を制御する制御部で、以下の構成要素を備えている。第１のファイルリスト作成部２０１は、画像処理装置１００に接続されている予め定められたデバイスから取得するフレームデータのリストを作成し、内蔵ＲＡＭ領域２１１に保存する。例えば、カードスロット１０８にメモリカードが装着されているそのメモリカード内に格納されたフレームデータのリストを作成し、内蔵ＲＡＭ領域２１１に保存する。
【００４９】
さらに、メモリカード以外のデバイスを閲覧モードのデバイス情報の項目として、作成したリストに追加する。
【００５０】
２０２は表示制御部で、作成したリストに従ってフレームデータを液晶表示装置１０６に表示する。２０３はインターフェース制御部で、デバイス情報として表示されているデバイスから画像処理装置１００に画像データの入力があれば、入力された画像データをフレームデータとして不揮発性メモリ１０００に保存する。また、フレームデータであることを示す付加情報も追加する。
【００５１】
第２のファイルリスト作成部２０４は、不揮発性メモリ１０００に保存したフレームデータを内蔵ＲＡＭ領域２１１に作成されたリストに追加する。例えば、メモリカードから入力されたフレームデータに関する内蔵ＲＡＭ領域２１１に蓄積されたリストに対し、携帯電話からフレームデータがリストに追加される。
【００５２】
図１１は、本発明の第２の実施形態に係るフレームデータファイルを液晶表示装置１０６に表示するときの処理手順を示すフローチャートである。まず、ステップＳ１１０１では、ユーザが操作パネル１０９を使って閲覧モードに設定するのを待つ。ステップＳ１１０２では、不揮発性メモリ１０００に予め保持しているフレームデータのリストを内蔵ＲＡＭ領域２１１に一時保存する。ステップＳ１１０３では、画像処理装置１００に接続されているデバイス、あるいは接続可能なデバイスの検索をシステム制御部２００が行う。ステップＳ１１０４では、第１のファイルリスト作成部がステップＳ１１０３で検索したデバイスをリストに追加する。ステップＳ１１０５では、表示制御部２０２がステップＳ１１０２で作成されたリストに則って液晶表示装置１０６にフレームデータを表示する。
【００５３】
図１２は、本発明の第２の実施形態に係るあるデバイスから画像処理装置１００に対しフレームデータが入力されたときの処理手順を示すフローチャートである。ここではメモリカード以外のデバイスからフレームデータが入力されるとする。
【００５４】
まず、ステップＳ１２０１では、インターフェース制御部２０３が画像処理装置１００に対しファイルを入力してきたデバイスが何なのかを取得する。ステップＳ１２０２では、システム制御部２００が液晶表示装置１０６でデバイス情報を表示しているかどうか判断する。デバイス情報を表示しているならば、ステップＳ１２０３へ進む。表示していないならば、処理を終了する。ステップＳ１２０３では、システム制御部２００がステップＳ１２０１で取得したデバイスと、液晶表示装置１０６に表示されているデバイス情報が対象としているデバイスとが同じであるかどうか判断する。デバイスが同じであるならば、ステップＳ１２０４へ進む。同じでなければ、処理を終了する。また、処理を終了するときに、他のデバイスのデバイス情報があるならば、そのデバイス情報に切り替えても良い。
【００５５】
ステップＳ１２０４では、インターフェース制御部２０３が画像処理装置１００に対しフレームデータを入力してきたデバイスからそのフレームデータを取得し、受信バッファ２１０に保存する。ステップＳ１２０５では、インターフェース制御部２０３がステップＳ１２０４で受信したフレームデータの形式に対応しているかどうかを判断する。例えばフレームデータの形式が画像データの形式であるか判断する。画像データの形式として、ＰＮＧ形式がある。
【００５６】
ファイルの形式が画像データの形式であるならば、ステップＳ１２０６へ進む。判断結果が画像データでなければ、処理を終了する。また、処理を終了する前に、データの形式が異なる旨の警告画面を表示しても良い。ステップＳ１２０６では、インターフェース制御部２０３がステップＳ１２０４で受信バッファ２１０に保存した画像データを不揮発性メモリ１０００に保存する。また、保存されたフレームデータであることを示す付加情報も対応付けて保存する。
【００５７】
ステップＳ１２０７では、予め内蔵ＲＡＭ領域２１１に保存されているリストへ不揮発性メモリ１０００に保存されたフレームデータを追加する。これにより、既存のフレームデータと同じように扱え、ユーザの選択対象とすることができる。ステップＳ１２０８では、表示制御部２０２がステップＳ１２０７で更新したリストに則って液晶表示装置１０６にフレームデータを表示する。
【００５８】
なお、上記第２の実施形態では、フレームデータを閲覧モードというシーンを想定していたため、フレームデータであることを示す付加情報を追加した。しかし、ユーザーインターフェースの状況に応じてフレームデータ以外のＪＰＥＧ形式の画像データとして扱ったとしても、本出願に係る発明に含まれることは言うまでもない。
【００５９】
また、フレームデータと画像データを混在して１つのリストを作成するようにしてもよい。このときも、付加情報はフレームデータと画像データを識別するために有効である。
【００６０】
また、上記第２の実施形態では、不揮発性メモリ１０００にフレームデータを保存していたが、ハードディスクやストレージ機器に保存したとしても、本出願に係る発明に含まれることは言うまでもない。
【符号の説明】
【００６１】
１００  画像処理装置
１０１  下ケース
１０２  プリンタカバー（画像読み取り部を内蔵）
１０３  原稿台カバー
１０４  排出トレイ
１０５  電源キー
１０６  液晶表示部
１０７  自動給送部
１０８  カードスロット
１０９  操作パネル
１１０  コネクタ端子
１１１  赤外線受光部
２００  システム制御部
２０１  第１のファイルリスト作成部
２０２  表示制御部
２０３  インターフェース制御部
２０４  第２のファイルリスト作成部
２１０  受信バッファ
２１１  内蔵ＲＡＭ領域
１０００  不揮発性メモリ
【図１】
0005479534.tif 000002
【図２】
0005479534.tif 000003
【図３】
0005479534.tif 000004
【図４】
0005479534.tif 000005
【図５】
0005479534.tif 000006
【図６】
0005479534.tif 000007
【図７】
0005479534.tif 000008
【図８】
0005479534.tif 000009
【図９】
0005479534.tif 000010
【図１０】
0005479534.tif 000011
【図１１】
0005479534.tif 000012
【図１２】
0005479534.tif 000013